(57)【要約】【課題】移動先の営業店の端末から印刷装置に書類等を印刷させる場合であっても、その移動先の営業店に設置された印刷装置に確実に印刷させるようにする。【解決手段】ターミナルサーバ４が、営業店端末９から受信した印刷指示に含まれる営業店端末識別情報に基づいて営業店端末設置情報データベース６を検索して店舗識別情報を抽出し、その店舗識別情報に基づいて印刷装置設置情報データベース７を検索して印刷装置識別情報を抽出し、その印刷装置識別情報で識別されるプリンタ１０に印刷することを許可するようにした。【選択図】        図１
2007249839.tif 000002
【特許請求の範囲】
【請求項１】
複数の営業店に設置された営業店端末および印刷装置と通信回線で接続され、営業店端末から印刷指示を受信して印刷装置に印刷させる処理を実行するサーバを備えた印刷システムにおいて、
営業店を識別するための店舗識別情報に関連付けて該営業店に設置された営業店端末を識別するための営業店端末識別情報が予め格納された営業店端末設置情報データベースと、
前記店舗識別情報に関連付けて該営業店に設置された印刷装置を識別するための印刷装置識別情報が予め格納された印刷装置設置情報データベースとを設け、
サーバが、営業店端末から受信した印刷指示に含まれる営業店端末識別情報に基づいて前記営業店端末設置情報データベースを検索して店舗識別情報を抽出し、該店舗識別情報に基づいて前記印刷装置設置情報データベースを検索して印刷装置識別情報を抽出し、その印刷装置識別情報で識別される印刷装置に印刷することを許可するようにしたことを特徴とする印刷システム。
【発明の詳細な説明】
【技術分野】
【０００１】
本発明は、金融機関等の企業の営業店に設置されるパーソナルコンピュータ等の端末からの指示によりプリンタ等の印刷装置に書類等を印刷させる印刷システムに関する。
【背景技術】
【０００２】
近年、コンピュータのネットワーク化の進展に伴って、金融機関等の営業店に設置された端末（クライアントコンピュータ）のキーボードやマウス等の入力装置によって入力された情報を管理センタ等の遠隔地に設置されたターミナルサーバと呼ばれるサーバ（サーバコンピュータ）へ通信回線を介して送信し、そのターミナルサーバが受信した情報にしたがってアプリケーションプログラムを実行してその実行結果を画面データとして端末へ送信し、端末がその画面データをディスプレイに表示するターミナルサービスという技術が開発されている。
【０００３】
このようにターミナルサービスでは、複数の端末がサーバに接続されている場合であってもアプリケーションプログラムはサーバのみにインストールされていればすべての端末でそのアプリケーションプログラムに処理を実行させることができる。また、そのアプリケーションプログラムで作成した書類等をプリンタ等の印刷装置に印刷させるプリンタドライバもサーバにインストールされていれば各端末にインストールする必要はない。
【０００４】
また、ターミナルサービスが実行されている環境において、使用者が営業店の端末を使用する場合、使用者を識別するためのログイン名を入力してターミナルサーバを使用することの許可を受けるログインを行うようにし、このとき、その許可を受けるとともに使用者が使用することができる印刷装置を特定するようにしている。
したがって、従来の印刷システムは、使用者が端末から書類等を印刷する指示を入力するとサーバのプリンタドライバによって印刷データに変換され、使用が許可された印刷装置へ送信されて印刷するようになっている。
【０００５】
また、印刷装置の印刷状況に応じて、設置場所の近い別の代替印刷装置で印刷させるようにしているものもある（例えば、特許文献１参照）。
【特許文献１】特開２００４−１５１８７０号公報（段落「００５６」〜段落「００６１」、図７）
【発明の開示】
【発明が解決しようとする課題】
【０００６】
しかしながら、上述した従来の技術においては、使用者が所属している営業店から別の営業店へ一時的に移動し、その営業店の端末から印刷装置に書類等を印刷させるとき、印刷先の設定変更を行わなかった場合、その使用者により特定された移動元の営業店に設置された印刷装置に印刷されてしまうという問題がある。特に、個人情報の取扱いに注意を要する昨今では印刷手続をした使用者がいない場所で書類が印刷されることは大きな問題となる。
【０００７】
本発明は、このような問題を解決することを課題とする。
【課題を解決するための手段】
【０００８】
そのため、本発明は、複数の営業店に設置された営業店端末および印刷装置と通信回線で接続され、営業店端末から印刷指示を受信して印刷装置に印刷させる処理を実行するサーバを備えた印刷システムにおいて、営業店を識別するための店舗識別情報に関連付けて該営業店に設置された営業店端末を識別するための営業店端末識別情報が予め格納された営業店端末設置情報データベースと、前記店舗識別情報に関連付けて該営業店に設置された印刷装置を識別するための印刷装置識別情報が予め格納された印刷装置設置情報データベースとを設け、サーバが、営業店端末から受信した印刷指示に含まれる営業店端末識別情報に基づいて前記営業店端末設置情報データベースを検索して店舗識別情報を抽出し、該店舗識別情報に基づいて前記印刷装置設置情報データベースを検索して印刷装置識別情報を抽出し、その印刷装置識別情報で識別される印刷装置に印刷することを許可するようにしたことを特徴とする。
【発明の効果】
【０００９】
このようにした本発明は、使用者が所属している営業店から別の営業店へ一時的に移動し、その営業店の端末から印刷装置に書類等を印刷させる場合であっても、その移動先の営業店に設置された印刷装置に確実に印刷させることが可能になるという効果が得られる。
【発明を実施するための最良の形態】
【００１０】
以下、図面を参照して本発明による印刷システムの実施例を説明する。
【実施例】
【００１１】
図１は実施例における印刷システムの構成を示すブロック図である。
図１において、１はドメインコントローラであり、金融機関等の企業の管理センタ等に設置されたコンピュータである。このドメインコントローラ１はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段、磁気ディスク、半導体メモリ等の記憶手段および通信手段等を備え、通信回線３を介して他の装置と相互に通信可能に接続されている。
【００１２】
２は使用者情報データベースであり、ドメインコントローラ１に備えられたものである。この使用者情報データベース２は本印刷システムの利用を許可された利用者を識別するためのログイン名およびそのログイン名に関連付けてパスワードを予め格納したものである。なお、使用者情報データベース２の詳細は後述する。
ドメインコントローラ１は、利用者が操作するパーソナルコンピュータ等の端末装置からログイン名およびパスワードを受信し、受信したログイン名に基づいて使用者情報データベース２を検索して抽出したパスワードと受信したパスワードを比較し、一致するとその利用者に本印刷システムの利用を許可するものである。
【００１３】
４はターミナルサーバであり、金融機関等の管理センタ等に設置されたコンピュータである。このターミナルサーバ４はＣＰＵ、ＭＰＵ等の演算および制御手段、磁気ディスク、半導体メモリ等の記憶手段および通信手段等を備え、通信回線３を介してドメインコントローラ１等の他の装置と相互に通信可能に接続されたものであり、記憶手段に記憶されたアプリケーションプログラム等のソフトウェアを起動し、実行等するものである。
【００１４】
したがって、このターミナルサーバ４は端末装置からアプリケーションプログラムの起動や実行の指示（処理の依頼）を受信することができ、その受信した指示にしたがってアプリケーションプログラムを実行し、その実行結果を端末装置へ返送することができるものである。
なお、このターミナルサーバ４は上記のドメインコントローラ１により本システムの利用が許可された者が処理の依頼等を行うことができるものとする。
【００１５】
６は営業店端末設置情報データベース、７はプリンタ（印刷装置）設置情報データベースであり、ターミナルサーバ４に備えられたものである。この営業店端末設置情報データベース６は各店舗に設置された端末装置である営業店端末の情報を予め格納し、プリンタ設置情報データベース７は各店舗に設置された印刷装置の情報を予め格納するものであるが、その詳細は後述する。
【００１６】
８はアプリケーション登録データベースであり、ターミナルサーバ４に備えられたものである。このアプリケーション登録データベース８はターミナルサーバ４で実行可能なアプリケーションプログラムが格納されたものであり、端末装置からの指示を受け付けてアプリケーションプログラムを抽出し、実行する。
５は印刷制御手段であり、端末装置からの印刷処理の依頼を受信して印刷装置に印刷を行なわせるものである。この印刷制御手段５は、端末装置から印刷処理の依頼を受信すると営業店端末設置情報データベース６およびプリンタ設置情報データベース７を参照して印刷処理の依頼を送信した端末装置が設置された店舗を確認し、その店舗に設置された印刷装置に印刷処理の依頼にしたがって印刷データを送信して印刷させるものである。また、その店舗に設置された印刷装置の閲覧等を許可するものである。
【００１７】
このように印刷制御手段５は印刷処理の依頼を送信した端末装置が設置された店舗に設置された印刷装置、すなわち、印刷を許可された印刷装置だけに印刷データを送信して印刷させ、また、閲覧等させる。
９は営業店端末であり、金融機関等の企業の営業店に設置された通常のパーソナルコンピュータ等の端末装置である。この営業店端末９は、ＣＰＵ、ＭＰＵ等の演算および制御手段、磁気ディスク、半導体メモリ等の記憶手段、キーボード、マウス等の入力手段、ＣＲＴ（Ｃａｔｈｏｄｅ  Ｒａｙ  Ｔｕｂｅ）、液晶ディスプレイ等の表示手段および通信手段等を備えるものである。また、この営業店端末９は通信回線３を介してドメインコントローラ１やターミナルサーバ４等の他の装置と相互に通信可能に接続されている。
【００１８】
なお、営業店端末９の記憶手段には営業店端末９を識別するために一意に付与された営業店端末識別情報が予め記憶されているものとする。
１０はプリンタであり、金融機関等の企業の営業店に設置された印刷装置である。このプリンタ１０は、ＣＰＵ、ＭＰＵ等の演算および制御手段、磁気ディスク、半導体メモリ等の記憶手段、印刷機構等で構成される印刷手段および通信手段等を備えるものである。また、このプリンタ１０は通信回線３を介してターミナルサーバ４等の他の装置と相互に通信可能に接続されている。
【００１９】
なお、プリンタ１０の記憶手段にはプリンタ１０を識別するために一意に付与されたプリンタ識別情報が予め記憶されているものとする。
１１は営業店端末であり、営業店端末９と同様である。また、１２はプリンタであり、プリンタ１０と同様である。ここで、営業店端末９およびプリンタ１０は営業店Ａ、営業店端末１１およびプリンタ１２は営業店Ｂに設置されるものとする。なお、営業店は二つに限られることなく、それ以上あってもよい。
【００２０】
上述したように印刷システムは、ドメインコントローラ１、使用者情報データベース２、ターミナルサーバ４、営業店端末設置情報データベース６、プリンタ設置情報データベース７、アプリケーション登録データベース８、営業店端末（９、１１）、プリンタ（１０、１２）および通信回線３等により構成され、営業店端末（９、１１）からの処理の依頼を受信したターミナルサーバ４がプリンタ（１０、１２）での書類の印刷処理を含め、各種アプリケーションプログラムを実行し、その処理結果を依頼された営業店端末（９、１１）へ返送するものである。
【００２１】
図２は実施例における使用者情報データベースの説明図である。
図２において、２１はログイン名であり、ターミナルサーバ４を含む印刷システムを使用する者を識別するための個人識別情報である。
２２はパスワードであり、ログイン名２１に対応付けて格納された本人確認をするためのものである。
【００２２】
営業店端末９等を使用する使用者は自己が管理するログイン名およびパスワードを営業店端末９等で入力するとそのログイン名およびパスワードがドメインコントローラ１へ送信され、ドメインコントローラ１は受信したログイン名に基づいて使用者情報データベース２を検索し、パスワード２２を抽出する。ドメインコントローラ１は抽出したパスワード２２と受信したパスワードとを比較し、一致すること確認、すなわち、本人確認を行なう。一致するとドメインコントローラ１はその使用者にターミナルサーバ４を含む印刷システムを使用することを許可し、各種の操作を可能な状態にする（この一連の手続を「ログイン」という。）。
【００２３】
なお、使用者がログインして各種の操作を可能にした状態を解除する手続をログアウトという。
２３は設定情報であり、ログイン名２１に関連付けて格納された画面情報等の各種設定情報である。上述したログインを行うと使用者が使用する営業店端末９等に各種情報が設定される。なお、この設定情報２３には使用者が使用するプリンタ１０等を特定する設定情報は含まれないものとする。
【００２４】
図３は実施例における営業店端末設置情報データベースの説明図である。
図３において、３１は店舗識別情報であり、例えば、営業店Ａまたは営業店Ｂ等を識別するための営業店コード等の識別情報である。
３２は営業店端末識別情報であり、営業店端末９、１１に一意に付与された識別情報である。例えば、営業店端末９、１１を識別できるようにそれぞれの営業店端末９、１１に設定されたコンピュータ名や営業店端末識別コード等である。
【００２５】
図４は実施例におけるプリンタ設置情報データベースの説明図である。
４１は店舗識別情報であり、上述した店舗識別情報３１と同様なのでその説明を省略する。
４２はプリンタ識別情報であり、プリンタ１０、１２に一意に付与された識別情報である。例えば、プリンタ１０、１２を識別できるようにそれぞれのプリンタ１０、１２に設定されたコンピュータ名、通信回線３上のアドレスやプリンタ識別コード等である。
上述した構成の作用について説明する。
【００２６】
なお、以下に説明する各部の動作は、図示しないメモリや磁気ディスク等の記憶手段に格納されたプログラム（ソフトウェア）に基づいて図示しない中央処理装置等の制御手段により制御される。
図５は実施例における印刷設定処理を示すフローチャートであり、図中Ｓで表すステップにしたがって説明する。
【００２７】
なお、本実施例では、営業店Ａに「ＰＣ１Ａ、ＰＣ２Ａ、ＰＣ３Ａ」という営業店端末識別情報を有する営業店端末９、「ＰＲ１Ａ、ＰＲ２Ａ、ＰＲ３Ａ」というプリンタ識別情報を有するプリンタ１０、営業店Ｂに「ＰＣ１Ｂ、ＰＣ２Ｂ、ＰＣ３Ｂ」という営業店端末識別情報を有する営業店端末１１、「ＰＲ１Ｂ、ＰＲ２Ｂ、ＰＲ３Ｂ」というプリンタ識別情報を有するプリンタ１２が設置されているものとし、使用者が営業店Ａの営業店端末９（ＰＣ１Ａ）を使用したものとして説明する。
【００２８】
Ｓ１：まず、使用者は営業店Ａの営業店端末９を操作し、予め設定されているログイン名およびパスワードを入力してログインを行う。ログイン名およびパスワードの入力を受け付けた営業店端末９はログインを依頼する電文をそのログイン名、パスワードおよび営業店端末識別情報とともにドメインコントローラ１へ送信する。
Ｓ２：ログインを依頼する電文を受信したドメインコントローラ１は上述した本人確認を行なう。この本人確認の結果、本人であることが確認できるとログインを許可した旨の電文をログイン名および営業店端末識別情報とともにターミナルサーバ４へ送信する。
【００２９】
なお、本人であることが確認できるとログインを許可した旨の電文は営業店端末９にも送信され、その電文を受信した営業店端末９は、そのログイン名を記憶手段に記憶させるものとする。また、ログアウトしたときにそのログイン名は記憶手段から消去されるものとする。
Ｓ３：ターミナルサーバ４は受信した営業店端末識別情報に基づいて営業店端末設置情報データベース６を検索し、店舗識別情報３１を抽出する。例えば、図３に示すように営業店端末識別情報３２が「ＰＣ１Ａ」の営業店端末９で使用者がログインした場合、「営業店Ａ」という店舗識別情報３１が抽出される。
【００３０】
Ｓ４：店舗識別情報３１を抽出すると、さらに、ターミナルサーバ４は抽出した店舗識別情報に基づいてプリンタ設置情報データベース７を検索し、プリンタ識別情報４２を抽出する。例えば、図４に示すように営業店端末識別情報が「ＰＣ１Ａ」の営業店端末９で使用者がログインした場合、「営業店Ａ」という店舗識別情報４１に関連付けられた「ＰＲ１Ａ、ＰＲ２Ａ、ＰＲ３Ａ」というプリンタ識別情報４２が抽出される。
【００３１】
このようにして、ログインされた営業店端末９が設置された営業店に設置されるプリンタを抽出する。
Ｓ５：営業店端末９が設置された営業店に設置されるプリンタが抽出されるとターミナルサーバ４はその営業店端末９を操作する使用者に抽出したプリンタを使用する権限を付与する設定を行なう。すなわち、その営業店端末９でのログイン時に使用したログイン名に関連付けて使用を許可するプリンタ識別情報「ＰＲ１Ａ、ＰＲ２Ａ、ＰＲ３Ａ」を記憶手段にプリンタ使用許可情報として記憶させる。
【００３２】
Ｓ６、Ｓ７：営業店端末９は入力された各種アプリケーションプログラムの起動や実行させる指示を操作する使用者のログイン名とともにターミナルサーバ４へ送信し、ターミナルサーバ４は受信した指示にしたがって各種アプリケーションプログラムにより処理を実行する。
ここで、各種アプリケーションプログラムを実行する処理において、営業店端末９での入力によりプリンタに書類等を印刷する動作を説明する。
【００３３】
営業店端末９から印刷の指示をログイン名とともに受信したターミナルサーバ４は、受信したログイン名に基づいて記憶手段に記憶されたプリンタ使用許可情報を確認し、許可されたプリンタ識別情報を抽出する。
ターミナルサーバ４は抽出したプリンタ識別情報に基づいて、プリンタ１０の閲覧や印刷の実行を可能にする。
【００３４】
このようにして、営業店端末９を操作する使用者は閲覧が可能となったいずれかのプリンタ１０を選択して書類等を印刷させることが可能になる。
Ｓ８：使用者の操作により営業店端末９でログアウトの操作が行われると営業店端末９はログアウトを依頼する電文をログイン名とともにドメインコントローラ１へ送信する。ログアウトを受け付けたドメインコントローラ１はログアウトを受け付けた旨の電文をログイン名とともにターミナルサーバ４へ送信する。
【００３５】
ターミナルサーバ４はログイン名に関連付けて記憶手段に記憶されたプリンタ使用許可情報を消去し、プリンタの使用を不可能にする設定を行なう。
このようにして印刷設定処理を終了する。
なお、本実施例では、ドメインコントローラ１とターミナルサーバ４を別のコンピュータで構成するようにしたが、ドメインコントローラ１とターミナルサーバ４が有する機能をひとつのコンピュータで実行するように構成してもよい。
【００３６】
以上説明したように、本実施例では、使用者が所属している営業店から別の営業店へ一時的に移動し、その営業店の端末から印刷装置に書類等を印刷させる場合であっても、その移動先の営業店に設置された印刷装置に確実に印刷させることが可能になるという効果が得られる。
また、移動先の営業店に設置された印刷装置を閲覧することが可能になるという効果が得られる。
【図面の簡単な説明】
【００３７】
【図１】実施例における印刷システムの構成を示すブロック図
【図２】実施例における使用者情報データベースの説明図
【図３】実施例における営業店端末設置情報データベースの説明図
【図４】実施例におけるプリンタ設置情報データベースの説明図
【図５】実施例における印刷設定処理を示すフローチャート
【符号の説明】
【００３８】
１    ドメインコントローラ
２    使用者情報データベース
３    通信回線
４    ターミナルサーバ
５    印刷制御手段
６    営業店端末設置情報データベース
７    プリンタ設置情報データベース
８    アプリケーション登録データベース
９、１１  営業店端末
１０、１２  プリンタ
【図１】
2007249839.tif 000003
【図２】
2007249839.tif 000004
【図３】
2007249839.tif 000005
【図４】
2007249839.tif 000006
【図５】
2007249839.tif 000007